(57)【要約】    【課題】    小型な構成であって光学性能が良好であり、収差変動の少ない、デジタルスチルカメラや携帯電話等の撮像装置に適した構成にする。    【解決手段】    最も像側に配置された非球面を含んだ常時固定のレンズ群と、この最も像側に配置されたレンズ群の直前にフォーカシングのために可動のフォーカシング群を配置した構成にした。【選択図】            図１
2010211228.tif 000002
【特許請求の範囲】
【請求項１】
最も像側のレンズ群よりも物体側に少なくとも光路を折り曲げるための反射部材を有し、前記最も像側のレンズ群が非球面を含み常時固定であり、前記最も像側のレンズ群の直前のレンズ群がフォーカシング群である撮影光学系。
【請求項２】
物体側より順に、全体として負のパワーの前群と光路を折り曲げる前記反射部材と明るさ絞りと後群とよりなり、前群が１枚または２枚の負レンズよりなり、後群が物体側より順に、像側の面よりも物体側の面の方が強い曲率を有する負レンズと、物体側の面よりも像側の面の方が強い曲率を持つ正レンズとの２枚のレンズかあるいは物体側の面よりも像側の面の方が強い曲率を有する正レンズ１枚からなる固定レンズ群と、物体側の面よりも像側の面の方が強い曲率を有する負レンズと両凸レンズの２枚の単レンズからなるかあるいは前記負レンズと前記両凸レンズとを接合させた接合レンズからなる前記フォーカシング群と、非球面を含み物体側に凸面を向けたメニスカスレンズでフォーカシング時固定である前記最も像側のレンズ群とからなることを特徴とする請求項１の撮影光学系。
【請求項３】
前記フォーカシング群が少なくとも１枚の負レンズと少なくとも１枚の正レンズとを含むことを特徴とする請求項１の撮影光学系。
【請求項４】
前記フォーカシング群の直前に固定のレンズ群を配置したことを特徴とする請求項１または３の撮影光学系。
【請求項５】
下記条件（１）を満足することを特徴とする請求項２、３又は４の撮影光学系。
（１）    ０．２＜ＤＦ／ｆ＜１．２
ただし、ＤＦは無限遠物点合焦時のフォーカシング群とその直前の固定群との光軸上の間隔、ｆは無限遠物点合焦時の全系の焦点距離である。
【請求項６】
条件（１）の代わりに条件（１−１）を満足することを特徴とする請求項５の撮影光学系。
（１−１）    ０．３＜ＤＦ／ｆ＜１．１
【請求項７】
条件（１）の代わりに条件（１−２）を満足することを特徴とする請求項５の撮影光学系。
（１−２）    ０．４＜ＤＦ／ｆ＜１．０
【請求項８】
下記条件（２）を満足することを特徴とする請求項１、２、３、４、５、６又は７の撮影光学系。
（２）    −１＜ｆ／ｆＲ＜０．２５
ただし、ｆＲは最も像側のレンズ群の焦点距離、ｆは無限遠物点合焦時の全系の焦点距離である。
【請求項９】
条件（２）の代わりに条件（２−１）を満足することを特徴とする請求項８の撮影光学系。
（２−１）    −０．７＜ｆ／ｆＲ＜０．１
【請求項１０】
条件（２）の代わりに条件（２−２）を満足することを特徴とする請求項８の撮影光学系。
（２−２）    −０．５＜ｆ／ｆＲ＜０．０
【請求項１１】
、下記条件（３）を満足することを特徴とする請求項１、２、３、４、５、６、７、８、９または１０の撮影光学系。
（３）    ０．２＜ｆ／ｆ（ＦＯ）＜０．７
ただし、ｆは無限遠物点合焦時の全系の焦点距離、ｆ（ＦＯ）はフォーカシング群の焦点距離である。
【請求項１２】
条件（３）の代わりに条件（３−１）を満足することを特徴とする請求項１１の撮影光学系。
（３−１）    ０．２５＜ｆ／ｆ（ＦＯ）＜０．６
【請求項１３】
条件（３）の代わりに条件（３−２）を満足することを特徴とする請求項１１の撮影光学系。
（３−２）    ０．３＜ｆ／ｆ（ＦＯ）＜０．５
【請求項１４】
下記条件（４）を満足することを特徴とする請求項１、２、３、４、５、６、７、８、９、１０、１１、１２または１３の撮影光学系。
（４）    ０．２＜ｆ／Ｒ（ＲＲ）＜１．８
ただし、ｆは無限遠物点合焦時の全系の焦点距離、Ｒ（ＲＲ）は最も像側のレンズ群の最も像側の面の光軸近傍の曲率半径である。
【請求項１５】
条件（４）の代わりに条件（４−１）を満足することを特徴とする請求項１４の撮影光学系。
（４−１）    ０．３＜ｆ／Ｒ（ＲＲ）＜１．６
【請求項１６】
条件（４）の代わりに条件（４−２）を満足することを特徴とする請求項１４の撮影光学系。
（４−２）    ０．４＜ｆ／Ｒ（ＲＲ）＜１．４
【請求項１７】
前記反射部材の物体側直前に配置された負の屈折力を有する前群と、前記反射部材の像側直後に配置された明るさ絞りとを有することを特徴とする請求項１の撮影光学系。
【請求項１８】
下記条件（５）を満足することを特徴とする請求項２又は請求項１７撮影光学系。
（５）      １．０＜｜ｆＦ｜／ｆ＜３．８
ただし、ｆは無限遠物点合焦時の全系の焦点距離、ｆＦは前群の焦点距離である。
【請求項１９】
条件（５）の代わりに条件（５−１）を満足することを特徴とする請求項１８の撮影光学系。
（５−１）      １．２＜｜ｆＦ｜／ｆ＜３．６
【請求項２０】
条件（５）の代わりに条件（５−２）を満足することを特徴とする請求項１８の撮影光学系。
（５−２）      １．４＜｜ｆＦ｜／ｆ＜３．４
【請求項２１】
下記条件（６）を満足することを特徴とする請求項２、１７、１８、１９または２０の撮影光学系。
（６）      １．４＜ｄＭ／ｆ＜２．８
ただし、ｄＭは前群の最終面から明るさ絞りまでの光軸上の空気換算長、ｆは無限遠物点合焦時の全系の焦点距離である。
【請求項２２】
条件（６）の代わりに条件（６−１）を満足することを特徴とする請求項２１の撮影光学系。
（６−１）      １．６＜ｄＭ／ｆ＜２．６
【請求項２３】
条件（６）の代わりに条件（６−２）を満足することを特徴とする請求項２１の撮影光学系。
（６−２）      １．８＜ｄＭ／ｆ＜２．４
【請求項２４】
下記条件（８）を満足することを特徴とする範囲の請求項２、１７、１８、１９、２０、２１、２２または２３の撮影光学系。
（８）      ０．４＜｜ψ（Ｆ）｜Max×｜ｆＦ｜＜１．４
ただし、ｆＦは前群の焦点距離、｜ψ（Ｆ）｜Maxは前群中の各レンズ面のパワーのうちの絶対値での最大値で、ψは下記式にて与えられる。
ψ＝（Ｎ’−Ｎ）／Ｒ
ここで、Ｎ’、Ｎは夫々上記レンズ面の射出側および入射側の屈折率、Ｒは上記レンズ面の光軸上の曲率半径である。
【請求項２５】
条件（８）の代わりに条件（８−１）を満足することを特徴とする請求項２４の撮影光学系。
（８−１）      ０．５＜｜ψ（Ｆ）｜Max×｜ｆＦ｜＜１．３
【請求項２６】
条件（８）の代わりに条件（８−２）を満足することを特徴とする請求項２４の撮影光学系。
（８−２）      ０．６＜｜ψ（Ｆ）｜Max×｜ｆＦ｜＜１．２
【請求項２７】
請求項１乃至２４のいずれか１項に記載する撮影光学系と、前記撮影光学系の像面近傍に配置された電子撮像素子とを含む撮像装置。
【請求項２８】
請求項２７に記載する装置で、電子撮像素子の入射面側に配置された補色モザイクフィルターの物体側に配置された波長６００ｎｍでの透過率が８０％以上で、波長７００ｎｍでの透過率が１０％以下の近赤外シャープカットフィルターとを備えたことを特徴とする撮像装置。
【請求項２９】
下記条件（９）を満足することを特徴とする請求項２７又は２８の撮影光学系。
（９）    ０．１５＜ｔ（ＬＰ）／ａ＜０．６（ｍｍ／μｍ）
ただし、ｔ（ＬＰ）は光学的ローパスフィルターの総厚、ａは電子撮像素子の水平画素ピッチで、単位はμｍである。
【請求項３０】
条件（９）の代わりに（９−１）を満足することを特徴とする請求項２９の撮影光学系。
（９−１）    ０．１３＜ｔ（ＬＰ）／ａ＜０．５
【発明の詳細な説明】
【技術分野】
【０００１】
本発明はカメラ特にデジタルスチルカメラおよび携帯電話や携帯モバイルパソコン等に備えられている撮像装置に好適な撮影光学系に関するものである。
【背景技術】
【０００２】
特にデジタルカメラは、撮像素子が小さいため、これに用いられる撮影光学系は焦点距離が短い。したがってデジタルカメラで用いる撮影光学系は、従来より負、正、負、正、正等のレトロフォーカスタイプが採用される。しかし、これらの光学系は、レンズ枚数の比較的少ない光学系であるが、これら光学系を用いた場合、カメラボディーの厚さを薄くすることができない。
【０００３】
カメラボディーを薄くするためには、撮影光学系中で光路を折り曲げるようにした光学系が知られている。
【０００４】
このような光学系の従来例として、特開平６−１０７０７０号公報や特開平９−２１１２８７号公報に記載された光学系がある。これら従来例のうちの前者は車載カメラ用であり、画素数の多いデジタルカメラに用いることができる性能は有していない。
【０００５】
また、この従来例の光学系は、フォーカシングについての考慮がなされていない。
【０００６】
また、後者の従来例は、光学系の光路をプリズムにより折り曲げるようにしているが、データの記載がなく、光学性能は不明である。
【０００７】
また、デジタルカメラ用として具体例が示されてるものとして特開２０００−２９２６９２号公報に記載されたものがある。この従来例は、前群繰り出しまたは全体繰り出しによるフォーカシングが適しているが、これらのフォーカシング方式は、機構が大型化、複雑化し、また、外部からの衝撃が加わりやすい前群の機械的強度の減少をまねきやすい。この従来例は、カメラの小型化に好都合なリアフォーカスを採用しようとすると、フォーカスの際の収差変動が大きく実用上問題がある。
【発明の開示】
【発明が解決しようとする課題】
【０００８】
本発明は、小型な構成で光学性能が良好であり、しかもフォーカシング時の収差変動が少ない光学系で、カメラ特にデジタルスチルカメラおよび携帯電話や携帯モバイルパソコン等に備えられる撮像装置に用いるのに好適な撮影光学系を提供するものである。
【０００９】
また本発明は、カメラボディーを薄くするために、光路中の適切な位置に光路を折り曲げるための反射部材を配置した撮影光学系を提供するものである。
【課題を解決するための手段】
【００１０】
本発明の撮影光学系の第１の構成は、最も像側に配置された非球面を含み常時固定のレンズ群と、前記最も像側に配置されたレンズ群の直前に配置されたフォーカシングのために可動のフォーカシング群とを含むものである。
【００１１】
撮影光学系は、小型化のためにレンズ枚数を減らしていくと良好な光学性能を得るためには、最終レンズ群（最も像側のレンズ群）に非球面を設けこれにより軸外収差を補正することが望ましい。また、フォーカシングとしてリアフォーカスを採用すれば、フォーカシングのための可動群の移動スペースや移動機構上は有利である。しかし、最も像側のレンズ群に非球面を設けてそれよりも物体側のレンズ群で発生し残存する収差を補正する作用を持たせると、この収差補正作用が強いほどこのレンズ群を移動させてフォーカシングを行なった時の収差の崩れが大きい。
【００１２】
そのために、本発明では、最も像側のレンズ群に非球面を含むようにして、このレンズ群を固定し、その直前のレンズ群をフォーカシング可能な屈折力を持つようにして、この群をフォーカシングのために可動のフォーカシング群とした。これにより、フォーカシングを行なうと共にそれによる収差の崩れを少なくした。
【００１３】
また、本発明の撮影光学系の他の第２の構成は、最も像側のレンズ群よりも物体側に少なくとも光路を折り曲げるための反射部材を有していて、最も像側のレンズ群が非球面を含んでおり、常時固定であり、この最も像側のレンズ群の直前のレンズ群がフォーカシング群であることを特徴としている。
【００１４】
この第２の構成は、前記本発明の撮影光学系中に光路を折り曲げるための反射部材を配置したものである。
【００１５】
レトロフォーカスタイプの光学系の場合、光学系中に光路を折り曲げるための反射部材を配置すると、この種の反射部材を設けない場合に比べて屈折力配置に強い制約を受け、収差補正が困難になる。
【００１６】
また、カメラを薄くするために光路を折り曲げる反射部材を設ける場合、この反射部材は、極力光学系の物体側であってかつ光線高が低い位置に配置することが好ましい。そのために、光学系の反射部材を設けた位置よりも物体側の前群は極力シンプルな構成にし、また反射部材より像側の後群を工夫する必要がある。特に悪化しやすくする軸外収差は、瞳より最も離れている最も像側に位置するレンズ群に非球面を導入することによって補正するのが効果的である。
【００１７】
前述の従来例の特開２０００−２９２６９２号公報に記載された光学系は、折り曲げ部分よりも像側のレンズ構成を工夫することにより軸外収差等の補正を行なうようにしたものである。
【００１８】
また、反射部材よりも物体側のレンズ群をフォーカシング群としてフォーカシングを行なう場合、収差変動がほとんどなく、また全体繰り出しによりフォーカシングを行なう場合は、収差変動があるが実用上は問題にならない程度の変動である。
【００１９】
しかし、機械的に有利なフォーカシング方法は、前述のように最も像側のレンズ群をフォーカシング群にするリアーフォーカスの方法である。この場合、他のレンズ群で発生する収差をこの最も像側のレンズ群に非球面を設けて強く補正しているために、このレンズ群をフォーカシングのために移動すると収差変動が極めて大になり、また、その直前の接合レンズ部でフォーカシングを行なう場合、この接合レンズ部のパワーが弱いためにフォーカシングのための移動量が大になり好ましくない。
【００２０】
本発明の第２の構成である光路を折り曲げるための反射部材を配置した光学系は、反射部材よりも像側のレンズ群を工夫することにより、リアフォーカスを可能にした。即ち、本発明の撮影光学系は、前述のように最も像側のレンズ群を非球面を含むようにしかつこのレンズ群を固定とし、その直前のレンズ群（負レンズ、正レンズを夫々１枚づつ含む）に屈折力を持たせたパワー配置にし、このレンズ群にてフォーカシングを行なうようにした。これにより、このフォーカシング群がフォーカシングのために移動しても収差の崩れを小さくすることができる。
【００２１】
また、本発明の撮影光学系の第３の構成は、物体側より順に、１枚または２枚の負レンズよりなり、全体として負の屈折力を有する固定の前群と、光路を折り曲げるための反射部材と、明るさ絞りと、それらより像側に配置された後群とよりなり、後群が物体側の面が強い曲率の負レンズと像側の面が強い曲率の正レンズあるいは像側の面が強い曲率の正レンズのみから構成されている固定レンズ群と、像側の面の方が曲率の強い負レンズと両凸レンズの２枚の単レンズあるいは互いに接合された接合レンズより構成された正の合焦レンズ群、非球面を含み物体側に凸面を向けたメニスカスレンズよりなる最終群とにて構成されている。    また、上記本発明の撮影光学系において、下記条件（１）を満足することが望ましい。
【００２２】
（１）    ０．２＜ＤＦ／ｆ＜１．２
ただし、ＤＦは無限遠物点合焦時のフォーカシング群とその直前の固定群との光軸上の間隔、ｆは無限遠物点合焦時の全系の焦点距離である。
【００２３】
上記間隔ＤＦは、合焦可能な範囲内で小さくすることが理想であり、ＤＦ／ｆの値がおおむね０．２以上であれば、フォーカシング群の直前のレンズと干渉しない。この条件（１）の下限を超えると無限遠物点から十分近距離までの合焦ができなくなる。また上限を超えると全長や前玉径が大になり、光学系を小型になし得ない。
【００２４】
上記条件（１）の代わりに下記条件（１−１）を満足すればより望ましい。
（１−１）    ０．３＜ＤＦ／ｆ＜１．１
更に条件（１）の代わりに下記条件（１−２）を満足すれば最も望ましい。
（１−２）    ０．４＜ＤＦ／ｆ＜１．０
以上のようなパワー配置の本発明の光学系において、光学系全体の近軸配置、収差のバランス、入射瞳位置、射出瞳位置等の点で好ましい光学系にするためには、最も像側のレンズ群を物体側に凸面を有するメニスカスレンズにし、フォーカシング群を物体側から順に、負レンズと正レンズにて構成することが好ましい。またこのフォーカシング群は、負レンズと正レンズを接合して接合レンズにて構成するようにしてもよい。
【００２５】
また、本発明の光学系の第１、第２の構成において、次の条件（２）を満足することが好ましい。
【００２６】
（２）    −１＜ｆ／ｆＲ＜０．２５
ただし、ｆＲは最も像側のレンズ群の焦点距離である。
【００２７】
条件（２）において、下限の−１を超えると射出瞳位置が像面に近づきすぎ、シェーディングが発生しやすくなり、またバックフォーカスが短くなる。また上限の０．２５を超えるとフォーカシング群のパワーが弱くなりやすく、また前玉径が大になりやすい。
【００２８】
前記（２）の代わりに次の条件（２−１）を満足することが望ましい。
【００２９】
（２−１）    −０．７＜ｆ／ｆＲ＜０．１
また条件（２）あるいは条件（２−１）の代わりに下記条件（２−２）を満足すれば一層好ましい。
【００３０】
（２−２）    −０．５＜ｆ／ｆＲ＜０．０
また、本発明の撮影光学系の第１、第２の構成において、下記条件（３）を満足することが望ましい。
【００３１】
（３）    ０．２＜ｆ／ｆ（ＦＯ）＜０．７
ただし、ｆ（ＦＯ）はフォーカシング群の焦点距離である。
【００３２】
条件（３）において、下限の０．２を超えるとフォーカシング群のパワーが弱くなり、フォーカシングの際の移動量が増大する。また、上限の０．７を超えると最終群のパワーが強くなりすぎてバックフォーカスが短くなりやすい。
【００３３】
前記（３）の代わりに次の条件（３−１）を満足することが望ましい。
【００３４】
（３−１）    ０．２５＜ｆ／ｆ（ＦＯ）＜０．６
また条件（３）あるいは条件（３−１）の代わりに下記条件（３−２）を満足すれば一層好ましい。
【００３５】
（３−２）    ０．３＜ｆ／ｆ（ＦＯ）＜０．５
また、前記第１、第２、第３の構成において、下記条件（４）を満足することが望ましい。
【００３６】
（４）    ０．２＜ｆ／Ｒ（ＲＲ）＜１．８
ただし、Ｒ（ＲＲ）は最も像側のレンズ群の最も像側の面の光軸近傍の曲率半径である。
【００３７】
また、条件（４）の下限の０．２を超えると、前群で発生する歪曲収差やコマ収差を非球面にて補正しきれなくなる。また条件（４）の上限の１．８を超えると、高次の歪曲収差やコマ収差が発生しやすくなる。
【００３８】
また、条件（４）の代わりに下記条件（４−１）を満足すればより望ましい。
【００３９】
（４−１）    ０．３＜ｆ／Ｒ（ＲＲ）＜１．６
更に、条件（４）または条件（４−１）の代わりに下記条件（４−２）を満足すれば一層望ましい。
【００４０】
（４−２）    ０．４＜ｆ／Ｒ（ＲＲ）＜１．４
また、下記条件（５）、（６）を満足すれば好ましい。
【００４１】
（５）      １．０＜｜ｆＦ｜／ｆ＜３．８
（６）      １．４＜ｄＭ／ｆ＜２．８
ただし、ｆＦは前群の焦点距離、ｄＭは前群の最終面から明るさ絞りまでの光軸上の空気換算長である。
【００４２】
条件（５）は、前群の焦点距離を規定するもので、これにより所望のバックフォーカスを確保すると共に、歪曲収差の発生を抑えるためのものである。
【００４３】
条件（５）の下限の０．５を超えると前群の焦点距離が短くなりすぎて、バックフォーカスを確保する上では有利であるが、歪曲収差の発生が大になり実用に耐えられなくなる。また条件（５）の上限の３．８を超えると、バックフォーカスの確保が困難になり、そのためローパスフィルターや赤外カットフィルターを配置するスペースがとれなくなる。
【００４４】
本発明の撮影光学系は、反射部材を配置する空気間隔を確保する必要があり、そのために条件（６）を満足するようにした。
【００４５】
条件（６）の下限の１．４を超えると反射部材を配置するための空気間隔がとれなくなる。また条件（６）の上限の２．８を超えると光学系の全長が長くなり、また前群のレンズ系が大になり、光学系全体が大型化する。
【００４６】
条件（５）、（６）の代わりに下記条件（５−１）、（６−１）を満足すればより好ましい。
【００４７】
（５−１）      １．２＜｜ｆＦ｜／ｆ＜３．６
（６−１）      １．６＜ｄＭ／ｆ＜２．６
また、上記条件（５）、（６）や条件（５−１）、（６−１）の代わりに下記条件（５−２）、（６−２）を満足すれば最も望ましい。
【００４８】
（５−２）      １．４＜｜ｆＦ｜／ｆ＜３．４
（６−２）      １．８＜ｄＭ／ｆ＜２．４
本発明の撮影光学系において、前群の偏芯による性能の劣化を少なくするためには、下記条件（８）を満足することが望ましい。
【００４９】
（８）      ０．４＜｜ψ（Ｆ）｜Max×｜ｆＦ｜＜１．４
ただし、｜ψ（Ｆ）｜Maxは前群中の各レンズ面のパワーのうちの絶対値での最大値で、ψは下記式にて与えられる。
【００５０】
ψ＝（Ｎ’−Ｎ）／Ｒ
ここで、Ｎ’、Ｎは夫々上記レンズ面の射出側および入射側の屈折率、Ｒは上記レンズ面の光軸上の曲率半径である。
【００５１】
条件（８）の上限の１．４を超えると前群中にパワーの強すぎる面が存在し偏芯による性能劣化が大になる。また、下限の０．４を超えると少ないレンズ枚数にて前群を構成することが困難になり、ひいては光学系が大型になり光学系全体のコストが大になる。
【００５２】
上記条件（８）の代わりに下記条件（８−１）を満足すればより好ましい。
（８−１）      ０．５＜｜ψ（Ｆ）｜Max×｜ｆＦ｜＜１．３
また、上記条件（８）または条件（８−１）の代わりに下記条件（８−２）を満足すれば最も望ましい。
【００５３】
（８−２）      ０．６＜｜ψ（Ｆ）｜Max×｜ｆＦ｜＜１．２
本発明の撮影光学系は、電子撮像装置に用い得るもので、そのために赤外光が撮像素子の撮像面に入射しないようにするために一定の厚さを有する赤外吸収フィルターを撮像素子の撮像面より物体側にする必要がある。この赤外吸収フィルターを厚みのないコーティングに置き換えることにより、小型化を図ることができる。
【００５４】
撮影光学系の後方で撮像素子より物体側に６００ｎｍでの透過率が８０％以上であって、７００ｎｍでの透過率が１０％以下の近赤外シャープカットコートを導入すると、赤外吸収フィルターよりも相対的に赤外の透過率が高いので、補色モザイクフィルターを有するＣＣＤの欠点である青紫側のマゼンタ化傾向がゲイン調整により緩和され、原色フィルタを有するＣＣＤ並みの色再現を得ることができる。
【００５５】
一方補色フィルタは、その透過光エネルギーの高さから原色フィルタ付きＣＣＤと比べて、実質的感度が高く、かつ解像度の点でも有利であり、小型ＣＣＤを使用した時のメリットが大である。
【００５６】
また、本発明の撮影光学系は、光学的ローパスフィルターが配置されている。この光学的ローパスフィルターの総厚ｔ（ＬＰ）が下記条件（９）を満足することが好ましい。
【００５７】
（９）    ０．１５＜ｔ（ＬＰ）／ａ＜０．６（ｍｍ／μｍ）
ただし、ａは電子撮像素子の水平画素ピッチで、単位はμｍである。
【００５８】
光学系の沈胴厚を薄くするためには、光学的ローパスフィルターを薄くすることが有効であるが、これを薄くすると一般にモアレを抑制する効果が減少するので好ましくない。一方、画素ピッチが小になるにつれて光学系の回折の影響によりナイキスト限界以上の周波数成分のコントラストは減少し、モアレ抑制効果の減少はある程度許容される。例えば、像面上に投影した時の方位角が水平（＝０°）に対し±４５°方向に夫々結晶軸を有する３種類のフィルターを光軸方向に重ねて使用する場合、かなりの抑制効果が得られることが知られている。この場合のフィルターが最も薄くなる仕様としては水平にａ（μｍ）、±
2010211228.tif 000003
【００５９】
2010211228.tif 000004
【００６０】
になる。これは、ナイキスト限界に相当する周波数においてコントラストを零にする仕様である。これよりも数％乃至数十％程度薄くすると、ナイキスト限界に相当する周波数のコントラストが少しでてくるが、上記の回折による影響を抑えることが可能になる。上記以外のフィルタの仕様は、例えば２枚重ね、あるいは１枚で実施する場合も含めて前記条件（９）を満足することが好ましい。
【００６１】
条件（９）の上限を超えると、光学的ローパスフィルターが厚くなりすぎて、撮影光学系を薄くすることができなくなる。また下限を超えるとモアレの除去が十分でなくなる。尚上記の光学的ローパスフィルターが満足する条件において、ピッチａは、５μｍ以下である。
【００６２】
また、撮像素子における前記のピッチａが４μｍ以下の場合、回折の影響を一層受けやすくなる。そのため条件（９）の代わりに下記条件（９−１）を満足することが望ましい。
【００６３】
（９−１）    ０．１３＜ｔ（ＬＰ）／ａ＜０．５  （ｍｍ／μｍ）
また、ａの値が５μｍ以下でかつ４μｍ以上であって、光学的ローパスフィルターが（Ａ）３枚重ね、（Ｂ）２枚重ね、（Ｃ）１枚の場合は、夫々下記条件（９−１Ａ）、（９−１Ｂ）、（９−１Ｃ）を満足することが好ましい。
【００６４】
（９−１Ａ）    ０．３＜ｔ（ＬＰ）／ａ＜０．５５（３枚重ね）
（９−１Ｂ）    ０．２＜ｔ（ＬＰ）／ａ＜０．２８（２枚重ね）
（９−１Ｃ）    ０．１＜ｔ（ＬＰ）／ａ＜０．１６（１枚）
｛以上、ａは４μｍ〜５μｍ｝
更にａが４μｍ以下であって、光学的ローパスフィルターが（Ａ）３枚重ね、（Ｂ）２枚重ね、（Ｃ）１枚の時は、夫々、下記条件（９−２Ａ）、（９−２Ｂ）、（９−２Ｃ）を満足することが好ましい。
【００６５】
（９−２Ａ）    ０．２５＜ｔ（ＬＰ）／ａ＜０．５０（３枚重ね）
（９−２Ｂ）    ０．１６＜ｔ（ＬＰ）／ａ＜０．２５（２枚重ね）
（９−２Ｃ）    ０．０８＜ｔ（ＬＰ）／ａ＜０．１４（１枚）
｛以上、ａは４μｍ以下｝
また、画素ピッチの小さい撮像素子を使用する場合、光学系の絞りを絞り込むと回折効果により画質が劣化する。
【００６６】
そのため、開口サイズが固定である複数の開口を有する絞りを用意し、そのうちの一つを第１群（最も物体側のレンズ群）の最も像側のレンズ面と第３群（物体側より三つ目のレンズ群）の最も物体側のレンズ面の間のいずれかの空気間隔の光路内に挿入するようにして、この絞りを他の絞りと交換することにより、像面照度を調整し得るようにし、複数の開口のうちの一部の開口内に、５５０ｎｍに対する透過率が夫々異なり、かつ８０％未満である媒体を有する絞りを用いて光量調整するようにすることが望ましい。
【００６７】
あるいはａ（μｍ）／Ｆ＜０．４を満足するようなＦナンバーに相当する光量になるように調節する場合は開口内に５５０ｎｍに対する透過率が夫々異なっていて、かつ８０％未満である媒体を備えた撮像装置にすることが好ましい。例えば、開放値から上記条件の範囲外のＦ値では、前記の媒体を用いないかあるいは５５０ｎｍに対する透過率９１％以上のダミーの媒体をおき、また上記条件の範囲内のＦ値の時には、回折の影響がでるほどに開口絞りの径を小さくすることなく、ＮＤフィルター等を用いて光量調整を行うことが望ましい。
【００６８】
また、ＮＤフィルターを用いずに、複数の開口の径を夫々Ｆ値に反比例して小さくしたものを用意し、周波数特性の異なる光学的ローパスフィルターを開口内に設けるようにしてもよい。つまり、絞り径が小さくなるにつれて回折劣化が大になるので、開口径が小さくなるほど光学的ローパスフィルターの周波数特性  の高いものを設ければよい。
【００６９】
電子撮像装置を薄くするためには、撮影光学系の構成を工夫するほか、撮像装置のメカ機構やレイアウトを工夫することも重要である。特に、撮影を行なわない時に、レンズを本体内に収納するいわゆる沈胴方式を採用することが重要である。
【００７０】
本発明の撮影光学系は、本体内に反射光学素子を備えており、この反射光学素子を光路から本体内の他の空間へ退避させ、これにより空いた光路中の空間に反射光学素子よりも物体側にある撮影時は撮像装置本体の外に突出しているレンズ群を移動して本体内に収納する方式を採用することにより、撮像装置全体を薄くすることが可能である。
【００７１】
また、前述の本発明の撮影光学系以外の構成の光学系であっても、例えば物体側より順に、負の第１群と、光路を折り曲げるための反射光学素子と、正の第２群とにて構成された光学系で、反射光学素子を撮像装置本体内の光学系光路外の他の空間に退避させ、これにより空いた光路内の空間に第１群を移動させて収納するようにすることが可能である。
【００７２】
また、この第１群の収納時、第２群を撮影時の最も像面から離れた位置から、像側に退避（移動）させることによって、小型になし得る。この第２群の像面側は、変倍やフォーカシングのためにレンズ群を移動させるためのスペースがある。したがって、例えば収納時にこの変倍やフォーカシングのためのスペースを利用して第２群をできる限り像面の近くに押し下げ、必要によっては反射光学素子も像側に移動させて、これにより第１群を本体内に収納することも可能である。
【００７３】
また、反射光学素子を薄板に反射ミラーコーティングを施した構成にすれば、レンズ群等の収納時に反射光学素子を光路を折り曲げる前の光軸に対し垂直な方向に退避させることが可能であり、退避のためのスペースを必要とせずに第１群の収納が可能になる。その他、収納時に、反射光学素子以外のレンズを１枚１枚倒すことにより又は移動させることによって、第１群を収納するスペースを作ることも可能である。また、プリズムを外殻のみ固定にて形成し、その内部に液体などを充填することにより形成する場合、内部の液体を抜いて薄くすることも可能である。
【００７４】
次に、反射光学素子を利用した光学系の例を示す。
【００７５】
例えば、ポロプリズム方式のファインダーを用いたＴＴＬ一願レフ光学系において、本発明の光学系のように光路を折り曲げる光学系を適用できる。
【００７６】
本発明の撮影光学系において、光学系と撮像素子との間に反射光学素子により反射した光軸を含む平面にほぼ直角な方向に光路を分割する第２の反射面（時分割でも振幅分割でもいずれでもよい）を設け、この第２の反射面における反射側にこの第２の反射面の法線に対しほぼ同一な平面内であってかつほぼ直角である第３の反射面を設け、更にこの第３の反射面にて反射した後の光路が、撮影光学系の入射側の光軸とほぼ平行に射出するように第４の反射面を設けたもの等が考えられる。このような構成にすれば、カメラを大幅に薄くすることが可能になる。
【００７７】
また、本発明の撮影光学系において、光学系中に配置された光路を折り曲げるための反射光学素子とこの反射光学素子よりも物体側のレンズ側を例えば撮影光学系の入射瞳位置近傍を回転中心として回転することにより撮影方向を変えるような構成にすることができる。又この方法を利用することにより手ぶれ補正が可能になる。
【発明の効果】
【００７８】
本発明の撮影光学系は、最も像側を固定群としこれに非球面を設けて簡単な構成であるにも拘らず良好な性能が得られるようにした。また、最も像側の固定群の物体側の群（直前の群）をフォーカシング群にすることにより、フォーカシングの際の収差変動を少なくして極めて近距離の物体へのフォーカシングを可能にした。
【００７９】
また、光学系中の最も適した位置に光路を折り曲げる反射部材を配置することによりカメラの薄型化を可能とし、デジタルスチルカメラや携帯電話等の撮像装置に用いるのに適した構成にした。
【発明を実施するための最良の形態】
【００８０】
本発明の撮影光学系の実施の形態を実施例１〜３、７、８をもとに述べる。本発明の実施例は図１〜図３、７、８に示す通りの構成で、次のデータを有する。
【実施例１】
【００８１】
ｒ1＝28.2055           ｄ1＝0.8000      ｎ1＝1.48749     ν1＝70.23
ｒ2＝8.5785            ｄ2＝1.6500
ｒ3＝26.4220           ｄ3＝0.8000      ｎ2＝1.48749     ν2＝70.23
ｒ4＝12.9362           ｄ4＝1.2000
ｒ5＝∞（フレアー絞り）ｄ5＝4.0000
ｒ6＝∞（ミラー）      ｄ6＝6.6000
ｒ7＝∞（開口絞り）    ｄ7＝1.2000
ｒ8＝184.4411          ｄ8＝1.5000      ｎ3＝1.80610     ν3＝40.92
ｒ9＝-10.3177(非球面)  ｄ9＝4.6000
ｒ10＝-26.2248         ｄ10＝0.7000     ｎ4＝1.84666     ν4＝23.78
ｒ11＝9.0266           ｄ11＝0.3000
ｒ12＝12.3830          ｄ12＝4.0000     ｎ5＝1.77250     ν5＝49.60
ｒ13＝-6.4925          ｄ13＝1.4000
ｒ14＝13.8952(非球面)  ｄ14＝1.6000     ｎ6＝1.58913     ν6＝61.14
ｒ15＝13.4234          ｄ15＝1.2000
ｒ16＝∞               ｄ16＝1.2000     ｎ7＝1.51633     ν7＝64.14
ｒ17＝∞               ｄ17＝1.1000     ｎ8＝1.54771     ν8＝62.84
ｒ18＝∞               ｄ18＝0.8000
ｒ19＝∞               ｄ19＝0.7500     ｎ9＝1.51633     ν9＝64.14
ｒ20＝∞               ｄ20＝1.1989
ｒ21＝∞
物点距離１０ｃｍへのフォーカシング時の間隔
ｄ9＝4.20115,          ｄ13＝1.79885
非球面係数
第９面    ｋ＝０
Ａ4＝6.1514×10-5,   Ａ6＝1.7693×10-4
Ａ8＝-1.5474×10-5
第１４面    ｋ＝０
Ａ4＝-4.9694×10-4,  Ａ6＝-5.0482×10-5
Ａ8＝1.1929×10-6
ＤＦ／ｆ＝0.86651,           ｆ／ｆＲ＝0.00203
ｆ／ｆ（ＦＯ）＝0.43113，       ｆ／Ｒ（ＲＲ）＝0.40224
｜ｆＦ｜＝16.7491,            ｜ｆＦ｜／ｆ＝3.10201
ｄＭ／ｆ＝２.18541
｜ψ（Ｆ）｜Max＝0.05683
｜ψ（Ｆ）｜Max×｜ｆＦ｜＝0.95185
ａ＝3.0μｍ，    ｔ（ＬＰ）＝1.44ｍｍ
ｔ（ＬＰ）／ａ＝0.48（ｍｍ／μｍ）
【実施例２】
【００８２】
ｒ1＝15.7943           ｄ1＝0.8000      ｎ1＝1.48749     ν1＝70.23
ｒ2＝7.4675            ｄ2＝1.6500
ｒ3＝64.6748           ｄ3＝0.8000      ｎ2＝1.48749     ν2＝70.23
ｒ4＝8.8601            ｄ4＝1.2000
ｒ5＝∞（フレアー絞り）ｄ5＝4.0000
ｒ6＝∞(ミラー)        ｄ6＝6.6000
ｒ7＝∞（開口絞り）    ｄ7＝1.2000
ｒ8＝-20.5858          ｄ8＝0.7000      ｎ3＝1.84666     ν3＝23.78
ｒ9＝-196.7498         ｄ9＝0.2000
ｒ10＝16.9637(非球面)  ｄ10＝2.0000     ｎ4＝1.80610     ν4＝40.92
ｒ11＝-9.2227          ｄ11＝4.6000
ｒ12＝-97.4834         ｄ12＝0.8000     ｎ5＝1.84666     ν5＝23.78
ｒ13＝7.0701           ｄ13＝0.3000
ｒ14＝8.5590           ｄ14＝4.0000     ｎ6＝1.72916     ν6＝54.68
ｒ15＝-7.2399          ｄ15＝0.7000
ｒ16＝10.0525 (非球面）ｄ16＝0.8000     ｎ7＝1.68893     ν7＝31.07
ｒ17＝6.3364           ｄ17＝2.0000
ｒ18＝∞               ｄ18＝1.2000     ｎ8＝1.51633     ν8＝64.14
ｒ19＝∞               ｄ19＝1.1000     ｎ9＝1.54771     ν9＝62.84
ｒ20＝∞               ｄ20＝0.8000
ｒ21＝∞               ｄ21＝0.7500     ｎ10＝1.51633    ν10＝64.14
ｒ22＝∞               ｄ22＝1.1977
ｒ23＝∞
物点距離１０ｃｍへのフォーカシング時の間隔
ｄ11＝4.27557,          ｄ15＝1.02443
非球面係数
第１０面    ｋ＝０
Ａ4＝-4.6870×10-4,   Ａ6＝-5.1003×10-5
Ａ8＝4.7100×10-6
第１６面    ｋ＝０
Ａ4＝-7.5175×10-4,  Ａ6＝-2.9443×10-5
Ａ8＝1.2413×10-7
ＤＦ／ｆ＝0.85165,           ｆ／ｆＲ＝-0.19803
ｆ／ｆ（ＦＯ）＝0.40101，       ｆ／Ｒ（ＲＲ）＝0.85242
｜ｆＦ｜＝11.9913,            ｜ｆＦ｜／ｆ＝2.22009
ｄＭ／ｆ＝2.18467
｜ψ（Ｆ）｜Max＝0.06528
｜ψ（Ｆ）｜Max×｜ｆＦ｜＝0.78279
ａ＝3.0μｍ，    ｔ（ＬＰ）＝1.44ｍｍ
ｔ（ＬＰ）／ａ＝0.48（ｍｍ／μｍ）
参考例１
ｒ1＝15.8879           ｄ1＝0.8000      ｎ1＝1.48749     ν1＝70.23
ｒ2＝6.8928            ｄ2＝1.6500
ｒ3＝41.4757           ｄ3＝0.8000      ｎ2＝1.48749     ν2＝70.23
ｒ4＝8.9049            ｄ4＝1.2000
ｒ5＝∞(フレアー絞り)  ｄ5＝4.0000
ｒ6＝∞(ミラー)        ｄ6＝6.6000
ｒ7＝∞（開口絞り）    ｄ7＝1.2000
ｒ8＝-22.2747          ｄ8＝0.7000      ｎ3＝1.84666     ν3＝23.78
ｒ9＝-478.6273         ｄ9＝0.2000
ｒ10＝17.5375(非球面)  ｄ10＝2.0000     ｎ4＝1.80610     ν4＝40.92
ｒ11＝-9.3167          ｄ11＝4.6000
ｒ12＝5.794×104       ｄ12＝0.8000     ｎ5＝1.84666     ν5＝23.78
ｒ13＝6.9410           ｄ13＝0.3000
ｒ14＝8.1848           ｄ14＝4.0000     ｎ6＝1.72916     ν6＝54.68
ｒ15＝-7.7336          ｄ15＝0.7000
ｒ16＝9.4462(非球面）  ｄ16＝0.8000     ｎ7＝1.68893     ν7＝31.07
ｒ17＝5.8487           ｄ17＝2.0000
ｒ18＝∞               ｄ18＝1.2000     ｎ8＝1.51633     ν8＝64.14
ｒ19＝∞               ｄ19＝1.1000     ｎ9＝1.54771     ν9＝62.84
ｒ20＝∞               ｄ20＝0.8000
ｒ21＝∞               ｄ21＝0.7500     ｎ10＝1.51633    ν10＝64.14
ｒ22＝∞               ｄ22＝1.1977
ｒ23＝∞
物点距離１０ｃｍへのフォーカシング時の間隔
ｄ9＝5.07260,          ｄ13＝1.02740
非球面係数
第１０面    ｋ＝０
Ａ4＝-4.0794×10-4,   Ａ6＝-5.4987×10-5
Ａ8＝5.0462×10-6
第１６面    ｋ＝０
Ａ4＝-7.3767×10-4,  Ａ6＝-1.6398×10-5
Ａ8＝-4.4332×10-7
ＤＦ／ｆ＝0.85185,           ｆ／ｆＲ＝-0.22028
ｆ／ｆ（ＦＯ）＝0.40273，       ｆ／Ｒ（ＲＲ）＝0.92334
｜ｆＦ｜＝11.8072,            ｜ｆＦ｜／ｆ＝2.18639
ｄＭ／ｆ＝2.18506
｜ψ（Ｆ）｜Max＝0.07072
｜ψ（Ｆ）｜Max×｜ｆＦ｜＝0.83501
ａ＝3.0μｍ，    ｔ（ＬＰ）＝1.44ｍｍ
ｔ（ＬＰ）／ａ＝0.48（ｍｍ／μｍ）
参考例２
ｒ1＝14.2264           ｄ1＝0.8000      ｎ1＝1.48749     ν1＝70.23
ｒ2＝7.0683            ｄ2＝1.6500
ｒ3＝70.6286           ｄ3＝0.8000      ｎ2＝1.48749     ν2＝70.23
ｒ4＝7.3559            ｄ4＝1.2000
ｒ5＝∞（フレアー絞り）ｄ5＝4.0000
ｒ6＝∞(ミラー)        ｄ6＝6.6000
ｒ7＝∞（開口絞り）    ｄ7＝1.2000
ｒ8＝31.5151(非球面)   ｄ8＝2.0000      ｎ3＝1.77250     ν3＝49.60
ｒ9＝-10.6837          ｄ9＝5.4000
ｒ10＝664.4541         ｄ10＝0.8000     ｎ4＝1.84666     ν4＝23.78
ｒ11＝7.0165           ｄ11＝0.3000
ｒ12＝8.2759           ｄ12＝4.0000     ｎ5＝1.72916     ν5＝54.68
ｒ13＝-8.0261          ｄ13＝0.7000
ｒ14＝7.3782 (非球面)  ｄ14＝0.8000     ｎ6＝1.68893     ν6＝31.07
ｒ15＝5.3400           ｄ15＝2.0000
ｒ16＝∞               ｄ16＝1.2000     ｎ7＝1.51633     ν7＝64.14
ｒ17＝∞               ｄ17＝1.1000     ｎ8＝1.54771     ν8＝62.84
ｒ18＝∞               ｄ18＝0.8000
ｒ19＝∞               ｄ19＝0.7500     ｎ9＝1.51633     ν9＝64.14
ｒ20＝∞               ｄ20＝1.1991
ｒ21＝∞
物点距離１０ｃｍへのフォーカシング時の間隔
ｄ9＝5.10325,          ｄ12＝0.99675
非球面係数
第８面      ｋ＝０
Ａ4＝-1.9398×10-4,   Ａ6＝-5.3736×10-5
Ａ8＝4.8632×10-6
第１４面    ｋ＝０
Ａ4＝-5.5369×10-4,  Ａ6＝-1.8446×10-5
Ａ8＝-4.7327×10-7
ＤＦ／ｆ＝0.99994,           ｆ／ｆＲ＝-0.16165
ｆ／ｆ（ＦＯ）＝0.38799，       ｆ／Ｒ（ＲＲ）＝1.01130
｜ｆＦ｜＝12.5840,            ｜ｆＦ｜／ｆ＝2.33022
ｄＭ／ｆ＝2.18504
｜ψ（Ｆ）｜Max＝0.06897
｜ψ（Ｆ）｜Max×｜ｆＦ｜＝0.86792
ａ＝3.0μｍ，    ｔ（ＬＰ）＝1.44ｍｍ
ｔ（ＬＰ）／ａ＝0.48（ｍｍ／μｍ）
参考例３
ｒ1＝14.5624           ｄ1＝0.8000      ｎ1＝1.48749     ν1＝70.23
ｒ2＝6.8521            ｄ2＝1.6500
ｒ3＝55.8248           ｄ3＝0.8000      ｎ2＝1.48749     ν2＝70.23
ｒ4＝7.3938            ｄ4＝1.2000
ｒ5＝∞（フレアー絞り）ｄ5＝4.0000
ｒ6＝∞（ミラー）      ｄ6＝6.6000
ｒ7＝∞（開口絞り）    ｄ7＝1.2000
ｒ8＝32.2591(非球面)   ｄ8＝2.0000      ｎ3＝1.77250     ν3＝49.60
ｒ9＝-11.1343          ｄ9＝5.4000
ｒ10＝470.7983         ｄ10＝0.8000     ｎ4＝1.84666     ν4＝23.78
ｒ11＝7.5838           ｄ11＝4.0000     ｎ5＝1.72916     ν5＝54.68
ｒ12＝-9.1162          ｄ12＝0.7000
ｒ13＝7.4276 (非球面)  ｄ13＝0.8000     ｎ6＝1.68893     ν6＝31.07
ｒ14＝5.2498           ｄ14＝2.0000
ｒ15＝∞               ｄ15＝1.2000     ｎ7＝1.51633     ν7＝64.14
ｒ16＝∞               ｄ16＝1.1000     ｎ8＝1.54771     ν8＝62.84
ｒ17＝∞               ｄ17＝0.8000
ｒ18＝∞               ｄ18＝0.7500     ｎ9＝1.51633     ν9＝64.14
ｒ19＝∞               ｄ19＝1.1991
ｒ20＝∞
物点距離１０ｃｍへのフォーカシング時の間隔
ｄ9＝3.76790,          ｄ13＝1.53210
非球面係数
第８面      ｋ＝０
Ａ4＝-1.1529×10-4,   Ａ6＝-6.8024×10-5
Ａ8＝6.2972×10-6
第１３面    ｋ＝０
Ａ4＝-5.8834×10-4,  Ａ6＝-2.7199×10-5
Ａ8＝-3.5585×10-7
ＤＦ／ｆ＝0.99994,           ｆ／ｆＲ＝-0.17665
ｆ／ｆ（ＦＯ）＝0.37138，       ｆ／Ｒ（ＲＲ）＝1.02867
｜ｆＦ｜＝10.3137,            ｜ｆＦ｜／ｆ＝1.90983
ｄＭ／ｆ＝2.18505
｜ψ（Ｆ）｜Max＝0.07114
｜ψ（Ｆ）｜Max×｜ｆＦ｜＝0.73372
ａ＝3.0μｍ，    ｔ（ＬＰ）＝1.44ｍｍ
ｔ（ＬＰ）／ａ＝0.48（ｍｍ／μｍ）
【実施例３】
【００８３】
ｒ1＝49.4276           ｄ1＝0.8000      ｎ1＝1.48749     ν1＝70.23
ｒ2＝6.5905(非球面)    ｄ2＝3.6500
ｒ3＝∞（フレアー絞り）ｄ3＝4.0000
ｒ4＝∞（ミラー）      ｄ4＝6.6000
ｒ5＝∞(開口絞り)      ｄ5＝1.2000
ｒ6＝-19.0692          ｄ6＝0.7000      ｎ2＝1.84666     ν2＝23.78
ｒ7＝-154.6987         ｄ7＝0.2000
ｒ8＝18.5665(非球面)   ｄ8＝2.0000      ｎ3＝1.80610     ν3＝40.92
ｒ9＝-10.0356          ｄ9＝4.6000
ｒ10＝-397.1798        ｄ10＝0.8000     ｎ4＝1.84666     ν4＝23.78
ｒ11＝7.2499           ｄ11＝0.3000
ｒ12＝8.7561           ｄ12＝4.0000     ｎ5＝1.72916     ν5＝54.68
ｒ13＝-7.8056          ｄ13＝0.7000
ｒ14＝9.2580 (非球面)  ｄ14＝0.8000     ｎ6＝1.68893     ν6＝31.07
ｒ15＝7.3738           ｄ15＝2.0000
ｒ16＝∞               ｄ16＝1.2000     ｎ7＝1.51633     ν7＝64.14
ｒ17＝∞               ｄ17＝1.1000     ｎ8＝1.54771     ν8＝62.84
ｒ18＝∞               ｄ18＝0.8000
ｒ19＝∞               ｄ19＝0.7500     ｎ9＝1.51633     ν9＝64.14
ｒ20＝∞               ｄ20＝1.1987
ｒ21＝∞
物点距離１０ｃｍへのフォーカシング時の間隔
ｄ9＝3.76790,          ｄ13＝1.53210
非球面係数
第２面      ｋ＝０
Ａ4＝-1.2507×10-4,   Ａ6＝-5.5153×10-6
Ａ8＝-5.4561×10-8
第８面      ｋ＝０
Ａ4＝-3.1877×10-4,   Ａ6＝-6.4186×10-5
Ａ8＝6.6754×10-6
第１４面    ｋ＝０
Ａ4＝-6.3512×10-4,  Ａ6＝2.8551×10-6
Ａ8＝-6.3474×10-7
ＤＦ／ｆ＝0.85188,           ｆ／ｆＲ＝-0.08489
ｆ／ｆ（ＦＯ）＝0.38449，       ｆ／Ｒ（ＲＲ）＝0.73230
｜ｆＦ｜＝15.6954,            ｜ｆＦ｜／ｆ＝2.90666
ｄＭ／ｆ＝2.18527
｜ψ（Ｆ）｜Max＝0.07397
｜ψ（Ｆ）｜Max×｜ｆＦ｜＝1.16099
ａ＝3.0μｍ，    ｔ（ＬＰ）＝1.44ｍｍ
ｔ（ＬＰ）／ａ＝0.48（ｍｍ／μｍ）
【実施例４】
【００８４】
ｒ1＝104.2883          ｄ1＝0.8000      ｎ1＝1.48749     ν1＝70.23
ｒ2＝6.4825(非球面)    ｄ2＝3.6500
ｒ3＝∞（フレアー絞り）ｄ3＝4.0000
ｒ4＝∞（ミラー）      ｄ4＝6.6000
ｒ5＝∞ (開口絞り)     ｄ5＝1.2000
ｒ6＝33.0316(非球面)   ｄ6＝2.0000      ｎ2＝1.80610     ν2＝40.92
ｒ7＝-13.3199          ｄ7＝5.4000
ｒ8＝-349.2067         ｄ8＝0.8000      ｎ3＝1.84666     ν3＝23.78
ｒ9＝7.3714            ｄ9＝0.3000
ｒ10＝9.0360           ｄ12＝4.0000     ｎ4＝1.72916     ν4＝54.68
ｒ11＝-7.7598          ｄ11＝0.7000
ｒ12＝9.4064 (非球面)  ｄ12＝0.8000     ｎ5＝1.68893     ν5＝31.07
ｒ13＝8.5287           ｄ13＝2.0000
ｒ14＝∞               ｄ14＝1.2000     ｎ6＝1.51633     ν6＝64.14
ｒ15＝∞               ｄ15＝1.1000     ｎ7＝1.54771     ν7＝62.84
ｒ16＝∞               ｄ16＝0.8000
ｒ17＝∞               ｄ17＝0.7500     ｎ8＝1.51633     ν8＝64.14
ｒ18＝∞               ｄ18＝1.1975
ｒ19＝∞
物点距離１０ｃｍへのフォーカシング時の間隔
ｄ7＝4.39584,          ｄ11＝1.70416
非球面係数
第２面      ｋ＝０
Ａ4＝-1.6332×10-4,   Ａ6＝-7.8826×10-6
Ａ8＝6.1711×10-9
第６面      ｋ＝０
Ａ4＝-7.9122×10-5,   Ａ6＝-6.2521×10-5
Ａ8＝6.2682×10-6
第１２面    ｋ＝０
Ａ4＝-5.9412×10-4,  Ａ6＝4.2369×10-6
Ａ8＝-5.1099×10-7
ＤＦ／ｆ＝1.00005,           ｆ／ｆＲ＝-0.02557
ｆ／ｆ（ＦＯ）＝0.38303，       ｆ／Ｒ（ＲＲ）＝0.63312
｜ｆＦ｜＝14.2173,            ｜ｆＦ｜／ｆ＝2.63297
ｄＭ／ｆ＝2.18530
｜ψ（Ｆ）｜Max＝0.07520
｜ψ（Ｆ）｜Max×｜ｆＦ｜＝1.06914
ａ＝3.0μｍ，    ｔ（ＬＰ）＝1.44ｍｍ
ｔ（ＬＰ）／ａ＝0.48（ｍｍ／μｍ）
【実施例５】
【００８５】
ｒ1＝16.7313           ｄ1＝0.8000      ｎ1＝1.48749     ν1＝70.23
ｒ2＝5.7803            ｄ2＝1.6500
ｒ3＝-116.9835         ｄ3＝0.8000      ｎ2＝1.48749     ν2＝70.23
ｒ4＝8.2545            ｄ4＝1.2000
ｒ5＝∞（フレアー絞り）ｄ5＝4.0000
ｒ6＝∞（ミラー）      ｄ6＝6.6000
ｒ7＝∞（開口絞り）    ｄ7＝1.2000
ｒ8＝34.3215(非球面)   ｄ8＝2.0000      ｎ3＝1.80610     ν3＝49.92
ｒ9＝-13.9992          ｄ9＝1.7000
ｒ10＝717.1173         ｄ10＝0.8000     ｎ4＝1.84666     ν4＝23.78
ｒ11＝8.8251           ｄ11＝4.0000     ｎ5＝1.72916     ν5＝54.68
ｒ12＝-9.4574          ｄ12＝4.4000
ｒ13＝7.3091 (非球面)  ｄ13＝0.8000     ｎ6＝1.84666     ν6＝23.78
ｒ14＝4.3123           ｄ14＝2.0000
ｒ15＝∞               ｄ15＝1.2000     ｎ7＝1.51633     ν7＝64.14
ｒ16＝∞               ｄ16＝1.1000     ｎ8＝1.54771     ν8＝62.84
ｒ17＝∞               ｄ17＝0.8000
ｒ18＝∞               ｄ18＝0.7500     ｎ9＝1.51633     ν9＝64.14
ｒ19＝∞               ｄ19＝1.1975
ｒ20＝∞
物点距離１０ｃｍへのフォーカシング時の間隔
ｄ9＝1.52918,          ｄ12＝4.57082
非球面係数
第８面      ｋ＝０
Ａ4＝-4.4013×10-4,   Ａ6＝1.7218×10-7
Ａ8＝-3.1288×10-7
第１３面    ｋ＝０
Ａ4＝-4.0844×10-4,  Ａ6＝-3.8592×10-5
Ａ8＝1.5539×10-6
ＤＦ／ｆ＝0.31477,           ｆ／ｆＲ＝-0.38156
ｆ／ｆ（ＦＯ）＝0.36237，       ｆ／Ｒ（ＲＲ）＝1.25143
｜ｆＦ｜＝8.0915,            ｜ｆＦ｜／ｆ＝1.49819
ｄＭ／ｆ＝2.18519
｜ψ（Ｆ）｜Max＝0.08434
｜ψ（Ｆ）｜Max×｜ｆＦ｜＝0.68244
ａ＝3.0μｍ，    ｔ（ＬＰ）＝1.44ｍｍ
ｔ（ＬＰ）／ａ＝0.48（ｍｍ／μｍ）
ただし、ｒ1、ｒ2、・・・は各レンズ面の曲率半径、ｄ1、ｄ2、・・・は各レンズの肉厚および空気間隔、ｎ1、ｎ2、・・・は各レンズの屈折率、ν1、ν2、・・・は各レンズのアッベ数である。
【００８６】
本発明の撮影光学系の実施例１は、図１に示すように、物体側より順に、２枚の負レンズよりなる第１群（ｒ1〜ｒ4）と、光路を折り曲げるための反射部材（ｒ5）と、正レンズよりなる第２群（ｒ8〜ｒ9）と、負レンズと正レンズとよりなる第３群（ｒ10〜ｒ13）と、負レンズよりなる第４群（ｒ14〜ｒ15）とよりなる。
【００８７】
この実施例１の光学系は、最も像側に固定群で非球面（ｒ14）を有する第４群と、この第４群より物体側には光路を折り曲げるための反射光学素子（ｒ6）が配置され、最も像側の第４群の直前の群である第３群を光軸上に移動させてフォーカシングを行なう。つまり第３群がフォーカシング群でフォーカシングに必要な屈折力を持たせしかも収差を良好に補正するために負レンズと正レンズにて構成してある。
【００８８】
また、実施例１の光学系は、第１群が前群であり、２枚の負レンズよりなり、第２群〜第４群が後群であり、第２群が固定レンズ群で物体側の面よりも像側の面の方が強い曲率を有する正レンズ１枚のレンズよりなり、フォーカシング群の第３群は像側の面の方が物体側の面よりも強い曲率を有する負レンズと両凸レンズの２枚のレンズよりなり、最終群の第４群は物体側に凸面を向けたメニスカスレンズである。
【００８９】
前記の実施例１の撮影光学系における物点距離１０ｃｍへのフォーカシングの際のフォーカシング群（第３群）の移動による空気間隔ｄ9およびｄ13の変化はデータに示す通りで、ｄ9＝４．６０００→４．２０１１５、ｄ13＝１．４００→１．７９８８５（ｍｍ）である。
【００９０】
本発明の撮影光学系の実施例２は、図２に示すように、物体側より順に、２枚の負レンズよりなる第１群（ｒ1〜ｒ4）と、光路を折り曲げるための反射部材（ｒ6）と、負レンズと正レンズよりなる第２群（ｒ8〜ｒ11）と、負レンズと正レンズとよりなる第３群（ｒ12〜ｒ15）と、負レンズよりなる第４群（ｒ16〜ｒ17）とよりなる。
【００９１】
この実施例２の撮影光学系は、第２群が負レンズと正レンズとよりなる点で正レンズ１枚の実施例１と相違するが、その他は実施例１と同じである。つまり固定レンズ群である第２群は、像側の面よりも物体側の面の方が強い曲率を有する負レンズと物体側の面よりも像側の面の方が強い曲率を有する正レンズとの２枚のレンズよりなる点で、実施例１と相違している。
【００９２】
また、この実施例２は、第４群中の面ｒ16が非球面である。また第３群によるフォーカシングの際の可変間隔はｄ11、ｄ15で、物点距離１０ｃｍへのフォーカシング時、夫々ｄ11＝４．６０００→４．２７５５７、ｄ15＝０．７０００→１．０２４４３のように変化する。
【００９３】
本発明の撮影光学系の参考例１は、図３に示す通りで、物体側より順に２枚の負レンズよりなる第１群（ｒ1〜ｒ4）と、光路を折り曲げるための反射部材（ｒ6）と、負レンズと正レンズよりなる第２群（ｒ8〜ｒ11）と、負レンズと正レンズとよりなる第３群（ｒ12〜ｒ15）と、負レンズよりなる第４群（ｒ16〜ｒ17）とよりなり、実施例２の光学系と実質上同じ構成である。
【００９４】
また、この参考例１は、第４群中の面ｒ16が非球面である。また第３群によるフォーカシングの際の可変間隔はｄ11、ｄ15で、物点距離１０ｃｍへのフォーカシング時、夫々ｄ11＝４．６０００→４．３０２８６、ｄ15＝０．７０００→０．９９７１４のように変化する。
【００９５】
本発明の撮影光学系の参考例２は、図４に示す通りで、物体側より順に２枚の負レンズよりなる第１群（ｒ1〜ｒ4）と、光路を折り曲げるための反射部材（ｒ6）と、正レンズ１枚よりなる第２群（ｒ8〜ｒ9）と、負レンズと正レンズとよりなる第３群（ｒ10〜ｒ13）と、負レンズよりなる第４群（ｒ14〜ｒ15）とよりなる。この参考例２は実施例１と実質上同じ構成である。
【００９６】
また、この参考例２は、第４群中の面ｒ14が非球面である。また第３群によるフォーカシングの際の可変間隔はｄ9、ｄ18で、物点距離１０ｃｍへのフォーカシング時、夫々ｄ9＝５．４０００→５．０７２６０、ｄ18＝０．７０００→１．０２７４０のように変化する。
【００９７】
本発明の撮影光学系の参考例３は、図５に示すように、物体側より順に、２枚の負レンズよりなる第１群（ｒ1〜ｒ4）と、光路を折り曲げるための反射部材（ｒ6）と、１枚の正レンズよりなる第２群（ｒ8〜ｒ9）と、負レンズと正レンズとよりなる接合レンズよりなる第３群（ｒ10〜ｒ12）と、負レンズよりなる第４群（ｒ13〜ｒ14）とにて構成されている。この参考例３は、第３群が接合レンズである点で実施例１と相違するが、他は実施例１と同様の構成である。つまり実施例１の光学系の第３群の負レンズと正レンズとを接合した接合レンズとした例である。
【００９８】
また、この参考例３は、第４群中の面ｒ13が非球面である。また第３群によるフォーカシングの際の可変間隔はｄ9、ｄ12で、物点距離１０ｃｍへのフォーカシング時、夫々ｄ9＝５．４０００→５．１０３２５、ｄ12＝０．７０００→０．９９６７５のように変化する。
【００９９】
本発明の撮影光学系の実施例３は、図６に示す通りの構成である。つまり、１枚の負レンズよりなる第１群（ｒ1〜ｒ2）と、光路を折り曲げるための反射部材（ｒ4）と、負レンズと正レンズよりなる第２群（ｒ6〜ｒ9）と、負レンズと正レンズとよりなる第３群（ｒ10〜ｒ13）と、負レンズよりなる第４群（ｒ14〜ｒ15）とより構成されている。
【０１００】
この実施例３は、第１群が負レンズ１枚である点で実施例２と相違する。
【０１０１】
また、この実施例３は、第４群中の面ｒ14が非球面である。また第３群によるフォーカシングの際の可変間隔はｄ9、ｄ13で、物点距離１０ｃｍへのフォーカシング時、夫々ｄ9＝４．６０００→３．７６７９０、ｄ13＝０．７０００→１．５３２１０のように変化する。
【０１０２】
本発明の撮影光学系の実施例４は、図７に示す通り、物体側より順に、負レンズの第１群（ｒ1〜ｒ2）と、光路を折り曲げるための反射部材（ｒ4）と、正レンズの第２群（ｒ6〜ｒ7）と、負レンズと正レンズの第３群（ｒ8〜ｒ11）と、負レンズの第４群（ｒ12〜ｒ13）とよりなる。
【０１０３】
この実施例４は、第１群が１枚のレンズよりなる点で実施例１と相違する。つまりこの実施例４は第３群を除いてすべての群が１枚のレンズよりなり、実施例中最もレンズ枚数の少ない光学系である。
【０１０４】
また、この実施例４は、第４群中の面ｒ12が非球面である。また第３群によるフォーカシングの際の可変間隔はｄ7、ｄ11で、物点距離１０ｃｍへのフォーカシング時、夫々ｄ7＝５．４０００→４．３９５８４、ｄ11＝０．７０００→１．７０４１６のように変化する。
【０１０５】
本発明の撮影光学系の実施例５は、図８に示すように、物体側より順に、２枚の負レンズよりなる第１群（ｒ1〜ｒ4）と、光路を折り曲げるための反射部材（ｒ6）と、１枚の正レンズよりなる第２群（ｒ8〜ｒ9）と、負レンズと正レンズとよりなる接合レンズよりなる第３群（ｒ10〜ｒ12）と、負レンズよりなる第４群（ｒ13〜ｒ14）とにて構成されている。この実施例５は、参考例３と同様の構成で第３群が接合レンズである点で実施例１と相違するが、他は実施例１と同様の構成である。
【０１０６】
また、この実施例５は、第４群中の面ｒ13が非球面である。また第３群によるフォーカシングの際の可変間隔はｄ9、ｄ12で、物点距離１０ｃｍへのフォーカシング時、夫々ｄ9＝１．７０００→１．５２９１８、ｄ12＝４．４０００→４．５７０８２のように変化する。
【０１０７】
以上のように本発明の撮影光学系の各実施例は、いずれも最も像側のレンズ群（第４群）が非球面を有し常時固定でありまた物体側に凸のメニスカスレンズよりなり、その前のレンズ群（第３群）がフォーカシング群で、いずれの実施例も負レンズと正レンズまたは負レンズと正レンズを接合した接合レンズよりなる。また、第４群より物体側に反射部材を配置し、この反射部材より物体側が１枚または２枚の少ないレンズにて構成されている。
【０１０８】
これら実施例および参考例を示す図のうち、図１〜図５および図８におけるｒ5はフレアー絞り、ｒ7は開口絞りである。また図６、図７におけるｒ3およびｒ5は夫々フレアー絞りおよび開口絞りである。更に第４群より後側の平行平面板は、赤外カットフィルターや光学的ローパスフィルター等のフィルターおよび撮像素子のカバーガラスである。
【０１０９】
また、図９は、本発明の実施例６を示すもので、光学系中に光路を折り曲げるための反射部材を配置していない例である。またこの実施例６は、実施例５と実質上同じ構成である。したがって、実施例５における面ｒ4から開口絞りｒ7の間の間隔ｄ4＋ｄ5＋ｄ6が図９におけるｒ4とｒ5の間隔ｄ4に相当し、Ｄ4＝１１．８０００である。また図９のｒ5、ｒ6、・・・、ｄ4、ｄ5、・・・は、図８のｒ7、ｒ8、・・・、ｄ7、ｄ8、・・・に夫々対応し、これらは実施例５に示す値である。したがってデータ中には示していない。
【０１１０】
また、この実施例６（実施例５）に限らず、実施例１、２、３、４および参考例１、２、３においても、光路を折り曲げるための反射部材を用いずに、光軸が、同一直線上に延びる通常の撮影光学系として用いることができる。
【０１１１】
図１０、図１１は夫々本発明の実施例１の無限遠合焦時および物点１０ｃｍ合焦時における収差状況を示すもので、いずれも諸収差が良好に補正されており、勿論１０ｃｍ合焦時における収差変動もほとんどない。
【０１１２】
各実施例、参考例の断面図（図１〜図９）において、像面付近に配置されている平行平面板は、ローパスフィルターと赤外カットフィルターを表わす。
実施例１乃至実施例５および参考例１、２、３においてはいずれも前群と明るさ絞りとの間に反射面（ミラー）を用いているが、ミラーの代りに３角プリズム等のプリズム反射部材を用いてもよい。
【０１１３】
以上述べた本発明の撮影光学系は、ＣＣＤやＣＭＯＳセンサー等の電子撮像素子を用いた電子カメラ等の各種撮影装置に使用することができる。
【０１１４】
次に本発明の撮影光学系を使用した撮影装置の例を述べる。
【０１１５】
図１２、図１３、図１４は、本発明の撮影光学系が組み込まれた電子カメラを示す図である。これら図において、図１２〜図１４は夫々電子カメラの外観を示す前方斜視図、電子カメラの外観を示す後方斜視図および断面図である。これら図に示すように１０は電子カメラで、撮影用光路１１を有する撮影光学系１２とファインダー用光路１３を有するファインダー光学系１４とシャッター１５とフラッシュ１６と液晶表示モニター１７とを備えている。このカメラ１０の上部に配置されたシャッター１５が押圧されるとそれに連動して図示していない本発明の撮影光学系である対物レンズ１２を通して撮影が行なわれる。この撮影光学系１２により形成される物体像は、赤外線カットフィルター２１を介してＣＣＤ等の撮像素子チップ２０上に形成される。
【０１１６】
撮像素子チップ２０にて受光された物体像は、電気的に接続された処理手段１８を介することにより反転されて正立正像の電子画像としてカメラ１０の背面に設けられた液晶表示モニター１７に表示される。また処理手段１８は、撮像素子チップ２０にて撮影された物体像を反転させた正立正像の電気信号に変換し、また電子情報として記録する記録手段１９の制御をも行なう。この記録手段１９は、処理手段１８に設けられたメモリーであってもよく、図示されているような処理手段１８と電気的に記録を書き込むディバイスであってもよい。
【０１１７】
また、ファインダー用光路１３を有するファインダー用光学系１４は、ファインダー用対物光学系３１と、このファインダー用対物光学系にて形成された物体像を正立させるポロプリズム３２と物体像を観察する観察者の眼球Ｅに導く接眼レンズ３３とを備えている。ポロプリズム３２は、前部分３２ａと後部分３２ｂとに分割されており、その間に物体像が形成される面を有し、この面の上に視野枠３４が配置されている。このポロプリズム３２は四つの反射面を有し、ファインダー用対物光学系３１にて形成された物体像を正立正像させる。
【０１１８】
また、カメラ１０は、部品を減らしコンパクトにし、低コストにするために、ファインダー光学系１４を省いてもよい。その場合は、観察者は液晶モニター１７を見ながら撮影を行なうことになる。
【０１１９】
次に、本発明の撮影光学系を内蔵する情報処理装置の一例であるパソコンについて、図１５〜図１７にもとづき述べる。
【０１２０】
これら図のうち、図１５はパソコンのカバーを開いた前方斜視図、図１６はパソコン４０の撮影光学系４３の断面図で、図１７は図１５の側面図である。
【０１２１】
これら図に示すように、パソコン４０は、外部より操作者が情報を入力するためのキーボード４１と、図示していない情報処理手段や記録手段と、情報を操作者に表示するモニター４２と、操作射自身や周辺の像を撮影するための撮影光学系４３とを有している。ここでモニター４２は、図示していないバックライトにより背面より照明される透過型液晶表示素子や、前面からの光を反射して表示する反射型液晶表示素子や、ＣＲＴディスプレイ等であってもよい。また、撮影光学系は、モニター４２の右上に内蔵されているが、図示する位置に限らず、モニター４２の周囲やキーボードの周囲のどこでもよい。
【０１２２】
このパソコン４０にて用いる撮影光学系は、撮影光路４４上に本発明の撮影光学系４３と物体像を受光する撮像素子チップ４５を有しており、それらはパソコン４０に内蔵されている。
【０１２３】
このパソコン４０に内蔵されている撮影光学系のフォーカシングは、図１６に示すように可動ユニット４６を移動することにより行なわれる。つまりフォーカシング群が後群の光軸ＯＡ（Ｒ）方向に移動させ得るように構成され、これによりフォーカシングが行なわれる。
【０１２４】
撮像チップ４５にて受光された物体像は、パソコン４０の処理手段（ＣＰＵ）に入力され正立正像化された電子画像としてモニター４２に表示される。図１５にはその一例として操作者の撮影された画像４５が示されている。またこの画像４５は、処理手段を介して、インターネットや電話を介して、遠隔地から通信相手のパソコンに表示されるようにすることも可能である。
【０１２５】
次に、図１８〜２０は本発明の撮影光学系を内蔵した情報処理装置の一例である電話、特に持ち運びに便利な携帯電話を示すものである。
【０１２６】
図１８は携帯電話５０の正面図、図１９は側面図、図２０は携帯電話５０にて用いられる撮影光学系の断面図である。
【０１２７】
図１８〜図２０に示すように、携帯電話５０は、操作者の声を情報として入力するマイク部５１と、通話相手の声を出力するスピーカー部５２と、操作者が情報を入力する入力ダイヤル５３と、操作者自身や通話相手等の撮影像と電話番号等の情報を表示する例えば液晶表示素子のモニター５４と、撮影光学系５５と、通話電波の送信と受信を行なうアンテナ５６と、画像情報や通信情報、入力信号等の処理を行なう処理手段（図示してない）とを有している。なお、図に示す各構成の配置位置は一例であって、これに限ることはない。
【０１２８】
この携帯電話５０に内蔵する撮影光学系は、撮影光路５７上に配置された本発明の撮影光学系からなる対物レンズ５５と物体像を受光する撮像素子チップ  ５８とを有している。この撮影光学系はレンズ可動ユニット５９を移動することにより前群が光軸ＡＸに沿って前後に移動することによりフォーカシングが行なわれる。
【０１２９】
撮影光学系５５において撮像チップ５８にて受光された物体像は、処理手段に入力された正立正像化された電子画像としてモニター５４に表示されまたは通信相手のモニターに表示され、あるいはその両方に表示される。又処理手段には通信相手に画像を送信する場合、撮像素子チップ５８にて受光された物体像の情報を、送信可能な信号に変換する信号処理機能が含まれている。
【０１３０】
以上述べたように、次の各項に記載する撮影光学系も本発明の目的を達成し得る。
【０１３１】
（１）  特許請求の範囲の請求項１に記載する光学系で、フォーカシング群が少なくとも１枚の負レンズと少なくとも１枚の正レンズとを含むことを特徴とする撮影光学系。
【０１３２】
（２）  特許請求の範囲の請求項１に記載する光学系で、フォーカシング群の直前に固定のレンズ群を配置したことを特徴とする撮影光学系。
【０１３３】
（３）  特許請求の範囲の請求項２あるいは前記の（１）または（２）の項に記載する光学系で、下記条件（１）を満足することを特徴とする撮影光学系。
【０１３４】
（１）    ０．２＜ＤＦ／ｆ＜１．２
ただし、ＤＦは無限遠物点合焦時のフォーカシング群とその直前の固定群との光軸上の間隔、ｆは無限遠物点合焦時の全系の焦点距離である。
【０１３５】
（４）  前記の（３）の項に記載する光学系で、条件（１）の代わりに条件（１−１）を満足することを特徴とする撮影光学系。
【０１３６】
（１−１）    ０．３＜ＤＦ／ｆ＜１．１
（５）  前記の（３）の項に記載する光学系で、条件（１）の代わりに条件（１−２）を満足することを特徴とする撮影光学系。
【０１３７】
（１−２）    ０．４＜ＤＦ／ｆ＜１．０
（６）  特許請求の範囲の請求項１または２あるいは前記の（１）、（２）、（３）、（４）または（５）の項に記載する光学系で、下記条件（２）を満足することを特徴とする撮影光学系。
【０１３８】
（２）    −１＜ｆ／ｆＲ＜０．２５
ただし、ｆＲは最も像側のレンズ群の焦点距離である。
【０１３９】
（７）  前記の（６）の項に記載する光学系で、条件（２）の代わりに条件（２−１）を満足することを特徴とする撮影光学系。
【０１４０】
（２−１）    −０．７＜ｆ／ｆＲ＜０．１
（８）  前記の（６）の項に記載する光学系で、条件（２）の代わりに条件（２−２）を満足することを特徴とする撮影光学系。
【０１４１】
（２−２）    −０．５＜ｆ／ｆＲ＜０．０
（９）  特許請求の範囲の請求項１、２、３、４または５あるいは前記の（１）、（２）、（３）、（４）、（５）、（６）、（７）または（８）の項に記載する光学系で、下記条件（３）を満足することを特徴とする撮影光学系。
【０１４２】
（３）    ０．２＜ｆ／ｆ（ＦＯ）＜０．７
ただし、ｆは無限遠物点合焦時の全系の焦点距離、ｆ（ＦＯ）はフォーカシング群の焦点距離である。
【０１４３】
（１０）  前記の（９）の項に記載する光学系で、条件（３）の代わりに条件（３−１）を満足することを特徴とする撮影光学系。
【０１４４】
（３−１）    ０．２５＜ｆ／ｆ（ＦＯ）＜０．６
（１１）  前記の（９）の項に記載する光学系で、条件（３）の代わりに条件（３−２）を満足することを特徴とする撮影光学系。
【０１４５】
（３−２）    ０．３＜ｆ／ｆ（ＦＯ）＜０．５
（１２）  特許請求の範囲の請求項１または２あるいは前記の（１）、（２）、（３）、（４）、（５）、（６）、（７）、（８）、（９）、（１０）または（１１）の項に記載する光学系で、下記条件（４）を満足することを特徴とする撮影光学系。
【０１４６】
（４）    ０．２＜ｆ／Ｒ（ＲＲ）＜１．８
ただし、ｆは無限遠物点合焦時の全系の焦点距離、Ｒ（ＲＲ）は最も像側のレンズ群の最も像側の面の光軸近傍の曲率半径である。
【０１４７】
（１３）  前記の（１２）の項に記載する光学系で、条件（４）の代わりに条件（４−１）を満足することを特徴とする撮影光学系。
【０１４８】
（４−１）    ０．３＜ｆ／Ｒ（ＲＲ）＜１．６
（１４）  前記の（１２）の項に記載する光学系で、条件（４）の代わりに条件（４−２）を満足することを特徴とする撮影光学系。
【０１４９】
（４−２）    ０．４＜ｆ／Ｒ（ＲＲ）＜１．４
（１５）  特許請求の範囲の請求項１に記載する光学系で、反射部材の物体側直前に配置された負の屈折力を有する前群と、反射部材の像側直後に配置された明るさ絞りとを有することを特徴とする撮影光学系。
【０１５０】
（１６）  特許請求の範囲の請求項２あるいは前記の（１５）の項に記載する光学系で、下記条件（５）を満足することを特徴とする撮影光学系。
【０１５１】
（５）      １．０＜｜ｆＦ｜／ｆ＜３．８
ただし、ｆは無限遠物点合焦時の全系の焦点距離、ｆＦは前群の焦点距離である。
【０１５２】
（１７）  前記の（１６）の項に記載する光学系で、条件（５）の代わりに条件（５−１）を満足することを特徴とする撮影光学系。
【０１５３】
（５−１）      １．２＜｜ｆＦ｜／ｆ＜３．６
（１８）  前記の（１６）の項に記載する光学系で、条件（５）の代わりに条件（５−２）を満足することを特徴とする撮影光学系。
【０１５４】
（５−２）      １．４＜｜ｆＦ｜／ｆ＜３．４
（１９）  特許請求の範囲の請求項５あるいは前記の（１５）、（１６）、（１７）または（１８）の項に記載する光学系で、下記条件（６）を満足することを特徴とする撮影光学系。
【０１５５】
（６）      １．４＜ｄＭ／ｆ＜２．８
ただし、ｄＭは前群の最終面から明るさ絞りまでの光軸上の空気換算長、ｆは無限遠物点合焦時の全系の焦点距離である。
【０１５６】
（２０）  前記の（１９）の項に記載する光学系で、条件（６）の代わりに条件（６−１）を満足することを特徴とする撮影光学系。
【０１５７】
（６−１）      １．６＜ｄＭ／ｆ＜２．６
（２１）  前記の（１９）の項に記載する光学系で、条件（６）の代わりに条件（６−２）を満足することを特徴とする撮影光学系。
【０１５８】
（６−２）      １．８＜ｄＭ／ｆ＜２．４
（２２）  特許請求の範囲の請求項２あるいは前記の（１５）、（１６）、（１７）、（１８）、（１９）、（２０）または（２１）の項に記載する光学系で、下記条件（８）を満足することを特徴とする撮影光学系。
【０１５９】
（８）      ０．４＜｜ψ（Ｆ）｜Max×｜ｆＦ｜＜１．４
ただし、ｆＦは前群の焦点距離、｜ψ（Ｆ）｜Maxは前群中の各レンズ面のパワーのうちの絶対値での最大値で、ψは下記式にて与えられる。
【０１６０】
ψ＝（Ｎ’−Ｎ）／Ｒ
ここで、Ｎ’、Ｎは夫々上記レンズ面の射出側および入射側の屈折率、Ｒは上記レンズ面の光軸上の曲率半径である。
【０１６１】
（２３）  前記の（２２）の項に記載する光学系で、条件（８）の代わりに条件（８−１）を満足することを特徴とする撮影光学系。
【０１６２】
（８−１）      ０．５＜｜ψ（Ｆ）｜Max×｜ｆＦ｜＜１．３
（２４）  前記の（２２）の項に記載する光学系で、条件（８）の代わりに条件（８−２）を満足することを特徴とする撮影光学系。
【０１６３】
（８−２）      ０．６＜｜ψ（Ｆ）｜Max×｜ｆＦ｜＜１．２
（２５）  特許請求の範囲の請求項１または２あるいは前記の（１）乃至（２４）のいずれかの項に記載する撮影光学系と、前記撮影光学系の像面近傍に配置された電子撮像素子とを含む撮像装置。
【０１６４】
（２６）  前記の（２５）の項に記載する装置で、電子撮像素子の入射面側に配置された補色モザイクフィルターの物体側に配置された波長６００ｎｍでの透過率が８０％以上で、波長７００ｎｍでの透過率が１０％以下の近赤外シャープカットフィルターとを備えたことを特徴とする撮像装置。
【０１６５】
（２７）  前記の（２５）または（２６）の項に記載する光学系で、下記条件（９）を満足することを特徴とする撮影光学系。
【０１６６】
（９）    ０．１５＜ｔ（ＬＰ）／ａ＜０．６（ｍｍ／μｍ）
ただし、ｔ（ＬＰ）は光学的ローパスフィルターの総厚、ａは電子撮像素子の水平画素ピッチで、単位はμｍである。
【０１６７】
（２８）  前記の（２７）の項に記載する光学系で、下記条件（９）の代わりに（９−１）を満足することを特徴とする撮影光学系。
【０１６８】
（９−１）    ０．１３＜ｔ（ＬＰ）／ａ＜０．５
【産業上の利用可能性】
【０１６９】
本発明はデジタルカメラ、携帯電話等に用いられる撮像素子に適した焦点距離の短い撮影光学系で、短い焦点距離であっても良好な画像が得られ特にフォーカシングの際に収差変動の少ない撮影光学系である。
【図面の簡単な説明】
【０１７０】
【図１】本発明の実施例１の断面図
【図２】本発明の実施例２の断面図
【図３】本発明の参考例１の断面図
【図４】本発明の参考例２の断面図
【図５】本発明の参考例３の断面図
【図６】本発明の実施例３の断面図
【図７】本発明の実施例４の断面図
【図８】本発明の実施例５の断面図
【図９】本発明の実施例６の断面図
【図１０】本発明の実施例１の光学系の無限物点に合焦時の収差曲線図
【図１１】本発明の実施例１の光学系の物点距離１０ｃｍの物点に合焦時の収差曲線図
【図１２】本発明の撮影光学系を組み込んだ電子カメラの前方斜視図
【図１３】上記電子カメラの後方斜視図
【図１４】上記電子カメラの断面図
【図１５】本発明の撮影光学系を内蔵するパソコンの前方斜視図
【図１６】上記パソコンの断面図
【図１７】上記パソコンの側面図
【図１８】本発明の撮影光学系を内蔵した携帯電話の正面図
【図１９】上記携帯電話の側面図
【図２０】上記携帯電話の断面図
【図１】
2010211228.tif 000005
【図２】
2010211228.tif 000006
【図３】
2010211228.tif 000007
【図４】
2010211228.tif 000008
【図５】
2010211228.tif 000009
【図６】
2010211228.tif 000010
【図７】
2010211228.tif 000011
【図８】
2010211228.tif 000012
【図９】
2010211228.tif 000013
【図１０】
2010211228.tif 000014
【図１１】
2010211228.tif 000015
【図１２】
2010211228.tif 000016
【図１３】
2010211228.tif 000017
【図１４】
2010211228.tif 000018
【図１５】
2010211228.tif 000019
【図１６】
2010211228.tif 000020
【図１７】
2010211228.tif 000021
【図１８】
2010211228.tif 000022
【図１９】
2010211228.tif 000023
【図２０】
2010211228.tif 000024